(57)【要約】      （修正有）【課題】紙片を取り出し易く、トイレットペーパー等の巻紙をティッシュペーパーと同様の使い勝手で使用することが可能であり、外観品質が優れ、且つ巻紙の交換作業が容易な収納具を提供する。【解決手段】巻紙を収納しうる有底部多角筒形に形成された収納部１１と、上記収納部の軸方向一端部に形成れた開口部１２を閉止しうる蓋部１３と、上記収納部の内部に着脱可能に配置され、巻紙の芯軸部の両端部を保持する一対の軸保持部とを備え、上記収納部の一側面部には紙片取り出し開口部１６が形成された構成とする。【選択図】図１
0003165168.tif 000002
【実用新案登録請求の範囲】
【請求項１】
巻紙を収納しうる有底多角筒形に形成された収納部と、
上記収納部の軸方向一端部に形成れた開口部を閉止しうる蓋部と、
上記収納部の内部に着脱可能に配置され、巻紙の芯軸部の両端部を保持する一対の軸保持部とを備え、
上記収納部の一側面部には紙片取り出し開口部が形成されていることを特徴とする収納具。
【請求項２】
上記軸保持部は、台紙部と、上記台紙部から突出して配設されると共に、上記一対の軸保持部を、上記収納部内部の軸方向両端部に配置した場合に、上記巻紙の芯軸部内に配置される巻紙支持突起部とから形成されていることを特徴とする請求項１記載の収納具。
【請求項３】
上記紙片取り出し開口部は軸方向に沿った長孔から形成され、
上記長孔の長さ方向中央部には、幅方向一端部から幅方向他端部に向かって突出する巻紙切断片部が延設されていることを特徴とする請求項１または請求項２に記載の収納具。
【請求項４】
上記蓋部の内側面部には、弾性部材からなると共に、所定の厚さ寸法を有し、上記収納部の幅方向断面と同一の形状に形成された蓋係止板部が配設されていることを特徴とする請求項１または請求項２に記載の収納具。
【請求項５】
上記軸保持部を取り外した際に、上記収納部の紙片取り出し開口部に対向する側面部内側に載置され、収納物を紙片取り出し開口部に向かって付勢しうる付勢部材を備えることを特徴とする請求項１記載の収納具。
【請求項６】
上記収納部及び上記軸保持部は紙製であることを特徴とする請求項１から請求項４いずれか１項に記載の収納具。
【考案の詳細な説明】
【技術分野】
【０００１】
本考案は、トイレットペーパー等の巻紙を収納しうる収納具に関する。
【背景技術】
【０００２】
日常生活において、手拭用、鼻紙用、化粧用等の非常に幅広い用途でティッシュペーパーが用いられている。
上記ティッシュペーパーは、一般的に、高品質のヴァージンパルプ等を原料としており、柔らかく、肌触りが良い。
また、水に溶解し難く破れ難い旨の性質を有するため、手拭きや化粧等に用いても、使用中に破れ難く丈夫である旨の利点を有する。
【０００３】
一般的に、ティッシュペーパーは、上面部に取り出し用口部が設けられた、直方体形の容器に収納されており、上記容器は室内に複数置かれ、手軽に使用できるため、上記のように本来的にティッシュペーパーに適した用途の他、食べこぼし汚れのふき取り等、本来、ティッシュペーパーのような高級品を使用する必要の無い用途にまで用いられている。
【０００４】
また、ティッシュペーパーで乳幼児やペットの排泄物、鼻水等をふき取ってそのままゴミ箱に捨てると、臭いの発生の原因ともなり、また非衛生的でもある。
しかしながら、ティッシュペーパーの多くは水には溶けないため、汚れがついた使用後の紙をトイレに流すと、詰まりの原因ともなりうるため、このような用途に用いるため、トイレットペーパーの巻紙をそのまま室内に置いておくことがあった。
【０００５】
しかしながら、トイレットペーパーは本来トイレで用いられるものであるため、巻紙のままの状態で室内に置いておくことは、室内の外観品質を低下させる要因となり、また、転がった場合に解けて散らかってしまう要因になるという不具合を有していた。
【０００６】
上記不具合を解消するために、室内に設置するトイレットペーパーの収納容器が提案されている（特許文献１、特許文献２）
【０００７】
図６（ａ）に示すように、特許文献１に係る収納具７０は、直方体に形成され、た収納部７１と、上記収納部７１の上面部７２に形成された紙片取り出し用口部７３と、上記収納部７１の一側面部７４に形成された、開口部７５と、上記側面部７４に配設され、上記開口部７５を開閉可能に閉止しうる一対の蓋部７６、７７と、上記蓋部７６、７７に配設され、互い係合して、上記蓋部７６、７７を固定する面ファスナー７８、７９とを備えている。
図６（ｂ）に示すように、特許文献１に係る収納具７０にあっては、トイレットペーパー８０は上記収納部７１内にそのままの状態で収納されるため、上記トイレットペーパー８０と上記収納部７１の下面部８１の内側面部とは、常に当接した状態となるため、上記紙片取り出し用口部７３から紙片８２と取り出す際に、トイレットペーパー８０と、上記収納部本体の下面部８１の内側面部との摩擦によって、トイレットペーパー８０がスムーズに回転せず、紙片８２が取り出し途中に切れてしまう虞があった。
【０００８】
また、図７（ａ）に示すように、特許文献２に係る収納具９０は、略直方体に形成され、上面部９２が開閉可能に形成された収納部９１と、上記収納部９１の上面部９２の端部に形成され、紙片１０１を取り出すための紙片取り出し口部９３と、図７（ｂ）に示すように、上記収納部９１の内部に着脱可能に配設された、棒状の軸部９４を備えている。
図７（ｂ）に示すように、上記軸部９４は、上記収納部９１の対向する側面部９５、９６に配設された係止部９７、９８に両端部９４ａ、９４ｂが係止されることで回転可能に固定されている。
上記特許文献２に係る収納部９０の場合、図７（ｂ）に示すように軸部９４が係止部９７、９８に固定されることから、トイレットペーパー９９の交換の際は、上記軸部９４を外して取り出し、上記軸部９４を新しいトイレットペーパー９９の芯軸部１００に通した状態で、再度上記軸部９４を上記係止部９７、９８に係止する必要があるため、トイレットペーパー９９の交換作業が非常に煩雑であるという不具合を有していた。
【特許文献１】実開平７−９１９５号公報
【特許文献２】実開昭５１−４２１４６号公報
【考案の開示】
【考案が解決しようとする課題】
【０００９】
本考案の解決する課題は、紙片を取り出し易く、トイレットペーパー等の巻紙をティッシュペーパーと同様の使い勝手で使用することが可能であり、外観品質が優れ、且つ巻紙の交換作業が容易な収納具を提供することにある。
【課題を解決するための手段】
【００１０】
上記課題を解決するために、請求項１に記載した考案に係る収納具は、巻紙を収納しうる有底部多角筒形に形成された収納部と、上記収納部の軸方向一端部に形成れた開口部を閉止しうる蓋部と、上記収納部の内部に着脱可能に配置され、巻紙の芯軸部の両端部を保持する一対の軸保持部とを備え、上記収納部の一側面部には紙片取り出し開口部が形成されていることを特徴とする。
【００１１】
従って、巻紙から紙片を取り出す際には、上記軸保持部によって、巻紙がスムーズに回転すると共に、新しい巻紙をセットする場合には、一対の上記軸保持部で巻紙を挟み、巻紙と軸保持部とを一体にした上で、上記収納具の蓋部を外して、開口部から挿入して収納するため、図７に示す、特許文献２に係る収納具とは異なり、収納時に軸保持部の固定等の別途の操作が不要である。
また、収納部が有底部多角筒形に形成されているため、底面部を下方にして縦置きで使用することが可能であり、また、紙片取り出し開口部が形成されている側面部以外の側面部を下方にして横置きで使用することも可能である。
【００１２】
また、請求項２に記載した考案に係る収納具は、上記軸保持部は、台紙部と、上記台紙部から突出して配設されると共に、上記一対の軸保持部を、上記収納部内部の軸方向両端部に配置した場合に、上記巻紙の芯軸部内に配置される巻紙支持突起部とから形成されていることを特徴とする。
【００１３】
従って、新しい巻紙をセットする場合には、上記軸保持部の巻紙支持突起部を、上記巻紙の芯軸部の両端部に夫々挿し入れ、上記台紙部で巻紙両端を挟んだ状態のまま、上記収納部に収納する。
【００１４】
また、請求項３に記載した考案に係る収納具は、上記紙片取り出し開口部は軸方向に沿った長孔から形成され、
上記長孔の長さ方向中央部には、幅方向一端部から幅方向他端部に向かって突出する巻紙切断片部が延設されていることを特徴とする。
【００１５】
従って、上記巻紙の端部を上記開口部から引き出し、上記巻紙切断片部に引っ掛けて外方に引くことによって、巻紙が切断される。
【００１６】
また、請求項４に記載した考案に係る収納具は、上記蓋部の内側面部には、弾性部材からなると共に、所定の厚さ寸法を有し、上記収納部の幅方向断面と同一の形状に形成された蓋係止板部が配設されていることを特徴とする。  
【００１７】
従って、蓋部を閉止した場合に、上記蓋係止板部が上記収納部の内側側面部に密着し、蓋部が外れ難くなる。
【００１８】
また、請求項５に記載した考案に係る収納具は、上記軸保持部を取り外した際に、上記収納部の紙片取り出し開口部に対向する側面部内側に載置され、収納物を紙片取り出し開口部に向かって付勢しうる付勢部材を備えることを特徴とする。
【００１９】
従って、巻き紙の代わりに、ポケットティッシュ等を収納し、上記付勢部材によって上記ポケットティッシュを上記紙片取り出し開口部向かって付勢することによって、ポケットティッシュ等の携帯用のティッシュペーパーを室内用としても活用することができる。
【００２０】
また、請求項６に記載した考案に係る収納具は、上記収納部及び上記軸保持部は紙製であることを特徴とする。
【考案の効果】
【００２１】
請求項１の考案にあっては、巻紙を収納しうる有底部多角筒形に形成された収納部と、上記収納部の軸方向一端部に形成れた開口部を閉止しうる蓋部と、上記収納部の内部に着脱可能に配置され、巻紙の芯軸部の両端部を保持する一対の軸保持部とを備え、上記収納部の一側面部には紙片取り出し開口部が形成されている。
従って、上記軸保持部によって、巻紙がスムーズに回転するため、紙片を取り出し易く、トイレットペーパー等の巻紙を、ティッシュペーパーと同様の使い勝手で使用することが可能であり、また、設置する場所に応じて、縦置き、横置きの何れも形態でも使用できることから、設置時の外観品質が優れ、且つ巻紙の交換作業が容易な収納具を提供することができる。
【００２２】
また、請求項２の考案にあっては、上記軸保持部は、台紙部と、上記台紙部から突出して配設されると共に、上記一対の軸保持部を、上記収納部内部の軸方向両端部に配置した場合に、上記巻紙の芯軸部内に配置される巻紙支持突起部とから形成されていることから、新しい巻紙をセットする場合には、上記軸保持部の巻紙支持突起部を、上記巻紙の芯軸部の両端部に夫々挿し入れ、上記台紙部で巻紙両端を挟んだ状態のまま、上記収納部に収納すればよい為、請求項１の効果に加え、より巻紙の交換作業が容易となる。
【００２３】
また、請求項３の考案にあっては、上記紙片取り出し開口部は軸方向に沿った長孔から形成され、上記長孔の長さ方向中央部には、幅方向一端部から幅方向他端部に向かって突出する巻紙切断片部が延設されていることから、上記巻紙の端部を上記開口部から引き出し、上記巻紙切断片部に引っ掛けて外方に引くことによって、巻紙が切断されるため、巻紙の切断操作を行い易い。
【００２４】
また、請求項４の考案にあっては、上記蓋部の内側面部には、弾性部材からなると共に、所定の厚さ寸法を有し、上記収納部の幅方向断面と同一の形状に形成された蓋係止板部が配設されていることから、上記蓋係止板部が上記収納部の内側側面部に密着し、蓋部が外れ難くなり、使用中に収納部からトイレットペーパーが落下してしまうことが無い。
【００２５】
また、請求項５の考案にあっては、上記軸保持部を取り外した際に、上記収納部の紙片取り出し開口部に対向する側面部内側に載置され、収納物を紙片取り出し開口部に向かって付勢しうる付勢部材を備えることから、巻き紙の代わりに、ポケットティッシュ等を収納し、上記付勢部材によって上記ポケットティッシュを上記紙片取り出し開口部向かって付勢することによって、トイレットペーパー等の巻紙の他、家庭内に余剰しているポケットティッシュを収納して、市販の箱入りティッシュペーパーと同様に使用することができる。
【００２６】
また、請求項６の考案にあっては、上記収納部及び上記軸保持部は紙製であることから、軽量で、加工が容易であり、且つ製造コストを低くすることができる。
【図面の簡単な説明】
【００２７】
【図１】本考案の一実施の形態を示し、実施例の構成に係る収納具の斜視図である。
【図２】本考案の一実施の形態を示し、実施例の構成に係る収納具の蓋部を開放した状態を示す斜視図である。
【図３】本考案の一実施の形態を示し、実施例の構成に係る収納具にトイレットペーパー等の巻紙を収納した状態における、巻紙の軸方向の断面図である。
【図４】本考案の一実施の形態を示し、図１において、トイレットペーパー等の巻紙を収納した状態における、Ａ−Ａ線断面図断面図である。
【図５】本考案の一実施の形態を示し、図１において、トイレットペーパー等の巻紙を収納した状態における、Ｂ−Ｂ線断面図断面図である。
【図６】従来の収納具の、（ａ）は側面開口部を開放した状態を示す斜視図、（ｂ）はトイレットペーパー等の巻紙を収納した状態における、巻紙の径方向の断面図である。
【図７】従来のほかの収納具の（ａ）は上面部を開いた状態を示す斜視図、（ｂ）は、トイレットペーパー等の巻紙を収納した状態における、巻紙の軸方向の断面図である。
【考案を実施するための最良の形態】
【００２８】
本考案を実施するための形態について、添付図面を用いて以下説明する。
図１に示すように、本実施例に係る収納具１０は、トイレットペーパー３０（図１には図示せず）を収納しうる有底部多角筒形に形成された紙製の収納部１１と、上記収納部１１の軸方向一端部に形成れた開口部１２を閉止しうる蓋部１３と、図３に示すように、上記収納部１１の内部に着脱可能に配置され、トイレットペーパー３０の芯軸部３１の両端部を保持する紙製の一対の軸保持部１４、１４とを備え、図１に示すように、上記収納部１１の一側面部１５には紙片取り出し開口部１６が形成されている。
また、図３に示すように上記軸保持部１４、１４は、台紙部１７、１７と、上記台紙部１７、１７から突出して配設されると共に、上記一対の軸保持部１４、１４を、上記収納部１１内部の軸方向両端部に配置した場合に、上記トイレットペーパー３０の芯軸部３１内に配置される巻紙支持突起部１８、１８とから形成されている。
また、図１に示すように、上記紙片取り出し開口部１６は軸方向に沿った長孔１９から形成され、上記長孔１９の長さ方向中央部には、幅方向一端部から幅方向他端部に向かって突出する三角形の巻紙切断片部２０が延設されている。
また、図２に示すように、上記蓋部１３の内側面部には、弾性部材からなると共に、所定の厚さ寸法を有し、上記収納部の幅方向断面と同一の形状に形成された蓋係止板部２１が配設されている
【実施例１】
【００２９】
以下、添付図面を用いて、本実施例について詳述する。
図１は本実施例に係る収納具１０において蓋部１３を閉止した状態を示す全体斜視図である。
図１に示すように、本実施例の場合、上記収納具１０は全体六角筒形に形成され、一端部に開口部１２を有すると共に、他端部には底面部２２を有している。
【００３０】
また、上記収納部１１は、市販のトイレットペーパー３０の軸寸法と略同一の軸寸法を有し、トイレットペーパー３０の径寸法と略同一若しくは若干大きな幅寸法に形成されている。
また、上記紙片取り出し開口部１６の長孔１９は、上記収納部１１の六つの側面部の内、一の側面部１５の軸方向略中央部に配設されている。
【００３１】
また、図２は、本実施例の係る収納具１０において、蓋部１３を開放した状態を示す斜視図である。
図２に示すように、上記蓋部１３は、上記収納部１１の幅方向断面と同一形状の六角形の紙板材から形成され、上記収納部１１において、上記紙片取り出し開口部１６が形成された側面部１５に対向する側面部２３の軸方向端部に開閉可能に接続されている。
また、上記蓋部１３の内側面部には、発泡ウレタン等の弾性部材からなる蓋係止板部２１が貼設されている。
【００３２】
また、図３は、上記収納具１１にトイレットペーパー３０を収納した状態における、軸方向の断面図、図４は幅方向断面図である。
図３に示すように、上記軸保持部１４、１４の台紙部１７、１７は、円形の厚紙から形成されている。
また、図４に示すように上記巻紙支持突起部１８、１８は、上記トイレットペーパー３０の芯軸部３１に挿入しうる幅寸法を有する六角柱形に形成され、上記台紙部１７の中心部から突出して配設されている。
【００３３】
本実施例の作用について図面を用いて説明する。
図４に示すように、紙片取り出し開口部１６からトイレットペーパー３０の紙片３２を取り出して引き出すことによって、上記トイレットペーパー３０は、上記巻紙支持突起部２１を回転軸として回転するため、スムーズに紙片を供給し続けることができると共に、引き出した紙片３２を、上記巻紙切断片部２０に引っ掛けて外方に引くことで簡単に切断することができる。
【００３４】
また、図２に示すように、新しいトイレットペーパー３０をセットする場合は、蓋部１３の把持紐２４を指でつまんで軸方向外方に引くことによって蓋部１３を開放し、上記軸保持部１４、１４の巻紙支持突起部１８、１８をトイレットペーパー３０の芯軸部３１の両端部からそれぞれ挿入し、台紙部１７、１７でトイレットペーパー３０の両端部を挟み込んだ状態にする。
更に、上記収納部１１の開口部１２から、上記台紙部１７、１７で挟んだ状態のまま、上記トイレットペーパー３０を挿入し、開口部１２を蓋部１３で閉止する。
上記の手順によれば、図７に示す特許文献２の収納具９０のように、軸部９４を収納部９１に固定する操作を行うことなく、簡単にトイレットペーパーの交換作業を行うことができる。
また、蓋部１３を閉止した状態において、上記蓋係止板部２１が上記収納部１１の内側側面部に密着し、蓋部１３が外れ難くなり、使用中に収納部１１からトイレットペーパー３０が落下してしまうことが無い。
【００３５】
また、図１に示すように、本実施例の係る収納具１０は、収納部１１が有底六角筒形に形成されていることから、底面部２２を下にして縦置き載置しても、上記取り出し開口部１６が形成されている側面部１５以外の側面部を下にして、横置き載置しても使用することができるため、設置場所によって、載置形態を変更することができる。
従って、設置場所に合わせて、最適な外観品質を確保することができる。
【００３６】
なお、本実施例においては、収納する巻紙がトイレットペーパーである場合を例に、収納部の大きさ等を説明しているが、本考案は、キッチンペーパー等の巻紙についても、収納部の大きさ寸法を変更することによって、適用することが可能である。
また、収納部は紙製であれば、その製法は、一枚の紙シートを折り込んで製作する方法、成形加工等、任意の製造方法等を適宜選択することができる。
【実施例２】
【００３７】
また、図５に示すように、本考案に係る収納具１０は、収納部１１から上記軸保持部１４を取り外した状態で、ポケットティッシュ３３を数段重ねて収納し、厚紙を断面略Ｗ字形に折畳んで形成した付勢部材２５を、上記紙片取り出し開口部１６が形成された側面部１５に対向する側面部２３の内側に載置し、上記ポケットティッシュ３３を紙片取り出し用口部１６に向かって付勢して、最上段のポケットティッシュ３３から紙片３４を紙片取り出し開口部１６から取り出し可能とすることによって、携帯用のポケットティッシュ３３を、市販の箱型のティシュペーパーと同様の形態で使用することができる。
従って、余剰しているポケットティッシュを無駄にすることなく、使用することができる。
【００３８】
なお、本実施例においては、厚紙を折り曲げたものを付勢部材として用いているが、本実施例の作用・効果を得るためには、ポケットティッシュを紙片取り出し用口部に向かって付勢できるものであれば、特にその素材、種類を問わない。
【産業上の利用可能性】
【００３９】
本考案は、トイレットペーパー等の巻紙を収納しうる収納具に適用可能である。
【符号の説明】
【００４０】
１０  収納具
１１  収納部
１２  開口部
１３  蓋部
１４  軸保持部
１５  収納部の一側面部
１６  紙片取り出し開口部
１７  台紙部
１８  巻紙支持突起部
１９  長孔
２０  巻紙切断片部
２１  蓋係止板部
２２  底面部
２３  収納部の一側面部の対向側側面部
２４  把持紐
２５  付勢部材
３０  トイレットペーパー
３１  芯軸部
３２  紙片
３３  ポケットティッシュ
３４  紙片
７０  収納具
７１  収納部
７２  収納部の上面部
７３  紙片取り出し用孔部
７４  収納部の一側面部
７５  収納部の開口部
７６  蓋部
７７  蓋部
７８  面ファスナー
７９  面ファスナー
８０  トイレットペーパー
８１  下面部
８２  紙片
９０  収納具
９１  収納部
９２  収納部の上面部
９３  紙片取り出し用口部
９４  軸部
９４ａ軸部の端部
９４ｂ軸部の端部
９５  収納部の側面部
９６  収納部の側面部
９７  係止部
９８  係止部
９９  トイレットペーパー
１００トイレットペーパーの芯軸部
１０１トイレットペーパーの紙片  
【図１】
0003165168.tif 000003
【図２】
0003165168.tif 000004
【図３】
0003165168.tif 000005
【図４】
0003165168.tif 000006
【図５】
0003165168.tif 000007
【図６】
0003165168.tif 000008
【図７】
0003165168.tif 000009